(57)【要約】【課題】前幕板の側面部に撓みが生じないレンジフードを提供する。【解決手段】このレンジフード８０は、前幕板５０の後端面５２に複数の係合爪５４ａ〜５４ｃを有し、横幕板４０ａ、４０ｂの前端のフランジ面４２に複数の角孔４４ａ〜４４ｃを有している。そして、係合爪５４ａ〜５４ｃを角孔４４ａ〜４４ｃに嵌入することで前幕板５０を着脱可能に保持する。そして、この係合爪５４ａ〜５４ｃと角孔４４ａ〜４４ｃとの係合により前幕板５０の側面部５０ｂは横方向への移動が規制され、側面部５０ｂの撓みを防止することができる。【選択図】図１
2018179369.tif 000002
【特許請求の範囲】
【請求項１】
回転により排煙を吸引するファンと、前記ファンを回転させるモータと、排煙を捕集するフードと、前記フードの上方空間の側方を遮蔽する横幕板と、略コの字形状を呈し前記横幕板に着脱可能に固定され前記フードの上方空間の前面及び側面前方を遮蔽する前幕板と、を有するレンジフードにおいて、
前記横幕板の前端のフランジ面には縦方向に並んだ複数の角孔を有し、
前記前幕板の後端面には前記角孔に一対一で嵌入する複数の係合爪を有することを特徴とするレンジフード。
【請求項２】
係合爪は、後端面の上部に位置する上部係合爪と、後端面の下部に位置する下部係合爪と、前記上部係合爪と下部係合爪との間に位置する中央係合爪と、を有し、前記上部係合爪と下部係合爪と中央係合爪とは縦方向に一直線に位置し、
角孔は前記係合爪の厚みよりも幅広であるとともに、フランジ面の上部に位置し前記上部係合爪と対応する上部角孔と、前記フランジ面の下部に位置し前記下部係合爪と対応する下部角孔と、前記上部角孔と下部角孔との間に位置し前記中央係合爪と対応する中央角孔と、を有し、
前記上部角孔と下部角孔とは前記上部係合爪及び下部係合爪に対して外側にずれて位置し、前記中央角孔は前記中央係合爪に対して内側にずれて位置し、
前記上部角孔と下部角孔の内側側面と前記上部係合爪と下部係合爪の内側側面とが当接し、前記中央角孔の外側側面と前記中央係合爪の外側側面とが当接することを特徴とする請求項１記載のレンジフード。
【請求項３】
上部係合爪と下部係合爪の内側側面が上部角孔と下部角孔の内側側面を内側に押圧し、中央係合爪の外側側面が中央角孔の外側側面を外側に押圧することで、前幕板を横幕板に着脱可能に保持することを特徴とする請求項２記載のレンジフード。
【発明の詳細な説明】
【技術分野】
【０００１】
本発明は、フードの上方空間に設置される前幕板の撓みを防止したレンジフードに関するものである。
【背景技術】
【０００２】
レンジフードは、ガスコンロ、ＩＨクッキングヒータ等の加熱調理器具の上方に設置され、調理等で発生する煙、臭気、熱、水蒸気等の排煙を吸引、捕集して屋外等に排出するものである。そして、一般的なレンジフードは、回転により排煙を吸引するファンと、このファンを回転させるモータとを備えた本体部と、この本体部の下方に位置し排煙を捕集するフードと、を基本構成として有している。そして、本体部や排気ダクトが位置するフードの上方空間は、ユーザの目に触れないよう幕板によって囲われ隠蔽されることが多い。また、この幕板は、上方空間の側方を遮蔽するとともにフードに固定された横幕板と、略コの字状で上方空間の正面及び側面前方を遮蔽する前幕板とで構成することが一般的である。また、前幕板はメンテナンスや掃除の際に取り外しができるよう、横幕板に対し着脱可能に設置されることが一般的である。
【０００３】
そして、前幕板と横幕板との固定は例えば［特許文献１］の記載にあるように、横幕板の上下端の近傍で行う事が一般的である。ここで、図５に従来のレンジフード１０を示す。図５（ａ）、（ｂ）に示す従来のレンジフード１０は、ファンとモータとを有する本体部３０と、この本体部３０の下方に設置されたフード３２と、このフード３２の上方空間の側方を遮蔽する横幕板１４と、フード３２の上方空間の前面及び側面前方を遮蔽する前幕板１２と、を有している。また、前幕板１２は上方空間の前面を遮蔽する前面部１２ａと、この前面部１２ａの両側辺から後方側に屈曲し上方空間の側面前方を遮蔽する側面部１２ｂとを有しており、上面視で略コの字形状を呈する。また、横幕板１４はフード３２と壁面とにビス等で固定されるとともに、その前側には前幕板１２の側面部１２ｂと重なる合せ部１４ａが設けられる。
【０００４】
そして、前幕板１２と横幕板１４とを固定する際には、図５（ｂ）に示すように、前幕板１２の側面部１２ｂの後部を横幕板１４の合せ部１４ａに被せ、横幕板１４の上下端の近傍に設けられた図示しない固定金具やローラキャッチ等により側面部１２ｂを保持し、前幕板１２を横幕板１４に対し着脱可能に固定する。
【先行技術文献】
【特許文献】
【０００５】
【特許文献１】特開２００７−２２５１２３号公報
【発明の概要】
【発明が解決しようとする課題】
【０００６】
しかしながら、従来の前幕板１２の固定方法では側面部１２ｂの上下端近傍のみで固定が行われるため、図５（ｂ）のＡに示すように、側面部１２ｂの中央部が外側に撓んで隙間が生じる場合があり、外観上好ましくないという問題点がある。
【０００７】
本発明は上記事情に鑑みてなされたものであり、前幕板の側面部に撓みが生じないレンジフードを提供することを目的とする。
【課題を解決するための手段】
【０００８】
本発明は、
（１）回転により排煙を吸引するファンと、前記ファンを回転させるモータと、排煙を捕集するフード３２と、前記フード３２の上方空間の側方を遮蔽する横幕板４０ａ、４０ｂと、略コの字形状を呈し前記横幕板４０ａ、４０ｂに着脱可能に固定され前記フード３２の上方空間の前面及び側面前方を遮蔽する前幕板５０と、を有するレンジフードにおいて、
前記横幕板４０ａ、４０ｂの前端のフランジ面４２には縦方向に並んだ複数の角孔４４ａ〜４４ｃを有し、前記前幕板５０の後端面５２には前記角孔４４ａ〜４４ｃに一対一で嵌入する複数の係合爪５４ａ〜５４ｃを有することを特徴とするレンジフード８０を提供することにより、上記課題を解決する。
（２）係合爪５４ａ〜５４ｃは、後端面５２の上部に位置する上部係合爪５４ａと、後端面５２の下部に位置する下部係合爪５４ｃと、前記上部係合爪５４ａと下部係合爪５４ｃとの間に位置する中央係合爪５４ｂと、を有し、前記上部係合爪５４ａと下部係合爪５４ｃと中央係合爪５４ｂとは縦方向に一直線に位置し、
角孔４４ａ〜４４ｃは前記係合爪５４ａ〜５４ｃの厚みよりも幅広であるとともに、フランジ面４２の上部に位置し前記上部係合爪５４ａと対応する上部角孔４４ａと、前記フランジ面４２の下部に位置し前記下部係合爪５４ｃと対応する下部角孔４４ｃと、前記上部角孔４４ａと下部角孔４４ｃとの間に位置し前記中央係合爪５４ｂと対応する中央角孔４４ｂと、を有し、
前記上部角孔４４ａと下部角孔４４ｃとは前記上部係合爪５４ａ及び下部係合爪５４ｃに対して外側にずれて位置し、前記中央角孔４４ｂは前記中央係合爪５４ｂに対して内側にずれて位置し、
前記上部角孔４４ａと下部角孔４４ｃの内側側面と前記上部係合爪５４ａと下部係合爪５４ｃの内側側面とが当接し、前記中央角孔４４ｂの外側側面と前記中央係合爪５４ｂの外側側面とが当接することを特徴とする上記（１）記載のレンジフード８０を提供することにより、上記課題を解決する。
（３）上部係合爪５４ａと下部係合爪５４ｃの内側側面が上部角孔４４ａと下部角孔４４ｃの内側側面を内側に押圧し、中央係合爪５４ｂの外側側面が中央角孔４４ｂの外側側面を外側に押圧することで、前幕板５０を横幕板４０ａ、４０ｂに着脱可能に保持することを特徴とする上記（２）記載のレンジフード８０を提供することにより、上記課題を解決する。
【発明の効果】
【０００９】
本発明に係るレンジフードは、前幕板の後端面に複数の係合爪を有し、横幕板の前端のフランジ面に複数の角孔を有している。そして、係合爪と角孔とを係合することで前幕板の側面部は横方向への移動が規制され、側面部の撓みを防止することができる。
【図面の簡単な説明】
【００１０】
【図１】本発明に係るレンジフードを示す図である。
【図２】本発明に係るレンジフードの前幕板を示す図である。
【図３】本発明に係るレンジフードの横幕板を示す図である。
【図４】本発明に係るレンジフードの係合爪と角孔との好適な位置の例を示す図である。
【図５】従来のレンジフードを示す図である。
【発明を実施するための形態】
【００１１】
本発明に係るレンジフード８０の実施の形態について図面に基づいて説明する。ここで、図１（ａ）は本発明に係るレンジフード８０の前方からの斜視図であり、図１（ｂ）は後方からの概略斜視図である。尚、従来のレンジフード１０と同一の部材に関しては同符号にて表す。
【００１２】
本発明に係るレンジフード８０は、回転により排煙を吸引するファン（図示せず）と、このファンを回転させるモータ（図示せず）とを有する本体部３０と、この本体部３０の下方に設置されたフード３２と、フード３２の下方に設置され吸気効率を向上させるための整流板２６と、レンジフード８０を操作するための操作スイッチ２４と、を有している。そして、フード３２の上方には、このフード３２の上方空間の左側の側方を遮蔽する横幕板４０ａと、上方空間の右側の側方を遮蔽する横幕板４０ｂと、上方空間の前面及び側面前方を遮蔽する前幕板５０とが設置される。また、前幕板５０は上方空間の前面を遮蔽する前面部５０ａと、この前面部５０ａの両側辺から後方側に屈曲し上方空間の側面前方を遮蔽する側面部５０ｂとを有しており、上面視で略コの字形状を呈する。
【００１３】
次に、前幕板５０の構成を図２を用いてさらに詳しく説明する。本発明に係るレンジフード８０の前幕板５０は、前述のように前面を遮蔽する前面部５０ａと、側面前方を遮蔽する側面部５０ｂとを有している。また、側面部５０ｂの後端はそれぞれ内側に９０°折り曲げられ、所定の幅の後端面５２が形成される。また、この後端面５２には後方に突出し縦方向に並んだ複数の係合爪５４ａ〜５４ｃが形成される。尚、係合爪５４ａ〜５４ｃの数には特に限定は無いが、３つ乃至４つとすることが好ましく、３つが最も好ましい。この場合、係合爪５４ａ〜５４ｃは、後端面５２の上部に位置する上部係合爪５４ａと、後端面５２の下部に位置する下部係合爪５４ｃと、これら上部係合爪５４ａと下部係合爪５４ｃとの間、即ち後端面５２の略中央に位置する中央係合爪５４ｂと、で構成される。尚、係合爪５４ａ〜５４ｃは、後端面５２の内側辺から後方に立ち上げて形成される。よって、係合爪５４ａ〜５４ｃは後端面５２の幅寸法分、内側に位置するとともに、後端面５２の側辺に沿って上下方向に一直線で形成される。
【００１４】
次に、横幕板４０ａ、４０ｂの構成を図３を用いて説明する。ここで、図３は左右の横幕板４０ａ、４０ｂを右前方から見た斜視図である。本発明に係るレンジフード８０の横幕板４０ａ、４０ｂは、前端がそれぞれ内側に９０°折り曲げられ、所定の幅のフランジ面４２が形成される。そして、このフランジ面４２は縦方向に並んだ複数の角孔４４ａ〜４４ｃを有している。尚、角孔４４ａ〜４４ｃは係合爪５４ａ〜５４ｃと一対一対応するため、その数は係合爪５４ａ〜５４ｃと同数となる。よって、係合爪５４ａ〜５４ｃが３つの場合、角孔４４ａ〜４４ｃはフランジ面４２の上部に位置し上部係合爪５４ａが嵌入する上部角孔４４ａと、フランジ面４２の下部に位置し下部係合爪５４ｃが嵌入する下部角孔４４ｃと、これら上部角孔４４ａと下部角孔４４ｃとの間、即ちフランジ面４２の略中央に位置し中央係合爪５４ｂが嵌入する中央角孔４４ｂと、で構成される。これら角孔４４ａ〜４４ｃの幅に特に限定は無いが、少なくとも係合爪５４ａ〜５４ｃの厚みよりも幅広に形成することが必要であり、係合爪５４ａ〜５４ｃの厚みの３倍〜１０倍程度が好ましく、５倍前後が最も好ましい。また、角孔４４ａ〜４４ｃの長さは係合爪５４ａ〜５４ｃの長さよりも数ｍｍ程度長く形成することが好ましい。
【００１５】
次に、係合爪５４ａ〜５４ｃと角孔４４ａ〜４４ｃの好適な位置の例を図４の略図を用いて説明する。尚、図４中では係合爪５４ａ〜５４ｃを破線で示す。
【００１６】
前述のように、係合爪５４ａ〜５４ｃは上下方向に一直線に形成される。これに対し、好適な上部角孔４４ａと下部角孔４４ｃとは、上部係合爪５４ａ及び下部係合爪５４ｃの位置に対しそれぞれ外側にずらして形成される。また、好適な中央角孔４４ｂは、中央係合爪５４ｂの位置に対して内側にずらして形成される。このときの角孔４４ａ〜４４ｃのずらし量は、上部角孔４４ａと下部角孔４４ｃのそれぞれの内側（上方空間側）の側面が上部係合爪５４ａ及び下部係合爪５４ｃの内側の側面に当接し若干押圧される量が好ましい。また、中央角孔４４ｂの外側の側面が中央係合爪５４ｂの外側の側面に当接し若干押圧される量が好ましい。
【００１７】
この構成では、上部係合爪５４ａと下部係合爪５４ｃとが、横幕板４０ａ、４０ｂの上部角孔４４ａと下部角孔４４ｃとをそれぞれ内側に押圧し、前幕板５０の中央係合爪５４ｂが横幕板４０ａ、４０ｂの中央角孔４４ｂをそれぞれ外側に押圧する。これにより、係合爪５４ａ〜５４ｃは左右の横幕板４０ａ、４０ｂをそれぞれ挟持することとなり、この結果、前幕板５０は左右の横幕板４０ａ、４０ｂによって保持される。よって、この構成では固定金具やローラキャッチ等の固定部材を用いることなく前幕板５０の固定を行うことができる。これにより、前幕板５０の固定部材が不要となり、部材コスト及び製造コストの削減が可能となる。尚、係合爪５４ａ〜５４ｃは前幕板５０の製造時の曲げ加工で形成が可能であり、また角孔４４ａ〜４４ｃは横幕板４０ａ、４０ｂの製造時の打ち抜き加工で形成が可能である。よって、係合爪５４ａ〜５４ｃ及び角孔４４ａ〜４４ｃは、従来の設備及び工程を用いて低コストで形成することが可能である。
【００１８】
次に、本発明に係るレンジフード８０の前幕板５０の着脱方法を説明する。先ず、キッチンの上方の所定の壁面にはレンジフード８０の本体部３０、フード３２、横幕板４０ａ、４０ｂが固定されている。次に、ユーザは前幕板５０をフード３２の前側の上方空間に載置し、前幕板５０の左右の後端面５２が横幕板４０ａ、４０ｂのそれぞれのフランジ面４２と対向するように位置させる。このとき、左右の上部係合爪５４ａは横幕板４０ａ、４０ｂの上部角孔４４ａに位置し、左右の中央係合爪５４ｂは横幕板４０ａ、４０ｂの中央角孔４４ｂに位置し、左右の下部係合爪５４ｃは横幕板４０ａ、４０ｂの下部角孔４４ｃに位置する。
【００１９】
次に、ユーザは左右の側面部５０ｂの中央係合爪５４ｂの近傍を内側に押圧する。これにより、側面部５０ｂが若干内側に湾曲し、これに伴って中央係合爪５４ｂが内側に移動する。そして、この状態を維持したまま前幕板５０を横幕板４０ａ、４０ｂ側に押し込む。これにより、左右の上部係合爪５４ａが横幕板４０ａ、４０ｂの上部角孔４４ａにそれぞれ挿入され、左右の中央係合爪５４ｂが横幕板４０ａ、４０ｂの中央角孔４４ｂにそれぞれ挿入され、左右の下部係合爪５４ｃが横幕板４０ａ、４０ｂの下部角孔４４ｃにそれぞれ挿入される。このとき、中央係合爪５４ｂはユーザによる側面部５０ｂの押圧により内側に移動しているから、係合爪５４ａ〜５４ｃは対応する角孔４４ａ〜４４ｃに大きな抵抗無くスムーズに挿入する。そして、各係合爪５４ａ〜５４ｃが対応する角孔４４ａ〜４４ｃに挿入された後、ユーザは左右の側面部５０ｂの押圧を解除する。これにより、中央係合爪５４ｂは側面部５０ｂの復元力により通常の位置に復帰し、中央係合爪５４ｂの外側側面が中央角孔４４ｂの外側側面に当接し、これを外側に押圧する。また、上部係合爪５４ａ及び下部係合爪５４ｃの内側側面が上部角孔４４ａと下部角孔４４ｃのそれぞれの内側側面に当接し、これを内側に押圧する。これにより、前幕板５０の左右の係合爪５４ａ〜５４ｃは横幕板４０ａ、４０ｂをそれぞれ挟持し、これにより前幕板５０は左右の横幕板４０ａ、４０ｂに着脱可能に固定される。
【００２０】
そして、前幕板５０の側面部５０ｂは係合爪５４ａ〜５４ｃと角孔４４ａ〜４４ｃとの係合により横方向への移動が規制されているから、側面部５０ｂが撓むことは無く外観上問題が生じることも無い。また、横幕板４０ａ、４０ｂは中央係合爪５４ｂによって内側への移動が規制されているから、例えばユーザが横幕板４０ａ、４０ｂの表面を拭き掃除する場合でも横幕板４０ａ、４０ｂは撓まず、ストレスなく拭き掃除をすることができる。
【００２１】
また、前幕板５０を外す際には、ユーザは左右の側面部５０ｂの中央係合爪５４ｂの近傍を内側に押圧して中央係合爪５４ｂを内側に移動させ、係合爪５４ａ〜５４ｃによる挟持状態を解除する。そして、この状態を維持したまま前幕板５０を手前側に引き出す。これにより、係合爪５４ａ〜５４ｃは角孔４４ａ〜４４ｃから引き出され、前幕板５０は横幕板４０ａ、４０ｂから取り外される。
【００２２】
以上のように、本発明に係るレンジフード８０は、前幕板５０の後端面５２に複数の係合爪５４ａ〜５４ｃを有し、横幕板４０ａ、４０ｂの前端のフランジ面４２に複数の角孔４４ａ〜４４ｃを有している。そして、係合爪５４ａ〜５４ｃを角孔４４ａ〜４４ｃに嵌入することで前幕板５０を着脱可能に保持する。そして、この係合爪５４ａ〜５４ｃと角孔４４ａ〜４４ｃとの係合により前幕板５０の側面部５０ｂは横方向への移動が規制され、側面部５０ｂの撓みを防止することができる。
【００２３】
また、本発明に係るレンジフード８０は、上部角孔４４ａと下部角孔４４ｃとを外側にずらして形成し、中央角孔４４ｂを内側にずらして形成し、上部係合爪５４ａと下部係合爪５４ｃとが上部角孔４４ａと下部角孔４４ｃとをそれぞれ内側に押圧し、中央係合爪５４ｂが中央角孔４４ｂをそれぞれ外側に押圧するように構成することで、係合爪５４ａ〜５４ｃ、角孔４４ａ〜４４ｃを介して前幕板５０の固定を行うことができる。これにより、前幕板５０に対する固定部材が不要となり、部材コスト及び製造コストの削減を行うことができる。
【００２４】
尚、本例で示したレンジフード８０、前幕板５０、横幕板４０ａ、４０ｂ、係合爪５４ａ〜５４ｃ、角孔４４ａ〜４４ｃ、その他の構成、形状、デザイン、寸法等は一例であり上記の例に限定されるわけでは無く、本発明は本発明の要旨を逸脱しない範囲で変更して実施することが可能である。
【符号の説明】
【００２５】
３２    フード
４０ａ、４０ｂ  横幕板
４２    フランジ面
４４ａ  上部角孔
４４ｂ  中央角孔
４４ｃ  下部角孔
５０    前幕板
５２    後端面
５４ａ  上部係合爪
５４ｂ  中央係合爪
５４ｃ  下部係合爪
８０    レンジフード
【図１】
2018179369.tif 000003
【図２】
2018179369.tif 000004
【図３】
2018179369.tif 000005
【図４】
2018179369.tif 000006
【図５】
2018179369.tif 000007